(57)【要約】【課題】担当者ごとにオーダーが区別されている運用形態の店舗において用いられる、オーダー保留機能を有するＰＯＳ(point of sales)システムなどの売上処理装置において、他担当者情報への誤ったアクセスを防止できるようにする。【解決手段】保留売上処理を行った際に生成される保留オーダー情報内に、担当者番号を格納するようにし、精算や追加注文のために保留オーダー情報を呼戻す処理（リコール処理）を行う際には、そのリコール処理を行おうとしている操作者の担当者番号と一致する担当者番号を有する保留オーダー情報のみが呼戻されるようにする。【選択図】図２
2008065599.tif 000002
【特許請求の範囲】
【請求項１】
顧客から受けた注文を保留オーダーとして保留データ記憶部に蓄積し、精算時に前記保留オーダーを前記保留データ記憶部から呼戻して画面表示部上に表示し、精算処理の実行によって前記保留オーダーを売上データとして計上する売上処理方法において、
前記保留オーダーを蓄積する際に、その保留オーダーに対応する担当者を特定する情報を当該保留オーダーと関連付けて前記保留データ記憶部に蓄積する段階と、
前記保留データ記憶部に既に蓄積されている前記保留オーダーに対する処理が指示された場合に、当該処理を指示した操作者が前記保留オーダーに関連付けられている担当者と一致するかを判断し、操作者と担当者が一致する場合にのみ前記処理の実行を可能にする段階と、
を有することを特徴とする売上処理方法。
【請求項２】
顧客から受けた注文を保留オーダーとして保留データ記憶部に蓄積し、精算時に前記保留オーダーを前記保留データ記憶部から呼戻して画面表示部上に表示し、精算処理の実行によって前記保留オーダーを売上データとして計上する売上処理方法において、
前記保留オーダーを蓄積する際に、その保留オーダーに対応する担当者を特定する第１の担当者情報を当該保留オーダーと関連付けて前記保留データ記憶部に蓄積する段階と、
前記保留データ記憶部に既に蓄積されている前記保留オーダーを呼戻す処理を実行させようとする操作者から当該操作者を特定する第２の担当者情報を受け付ける段階と、
既に前記保留蓄積部に蓄積されている特定の保留オーダーを呼戻す処理の実行が指示されたときに、当該特定の保留オーダーに関連付けられて蓄積されている前記第１の担当者情報が前記第２の担当者情報に一致するかを判断する段階と、
前記判断する段階において担当者情報が一致した場合のみに前記呼戻す処理を実行して前記特定の保留オーダーを前記画面表示部上に表示する段階と、
を有することを特徴とする売上処理方法。
【請求項３】
顧客から受けた注文を保留オーダーとして保留データ記憶部に蓄積し、精算時に前記保留オーダーを前記保留データ記憶部から呼戻して画面表示部上に表示し、精算処理の実行によって前記保留オーダーを売上データとして計上する売上処理方法において、
前記保留オーダーを蓄積する際に、その保留オーダーに対応する担当者を特定する第１の担当者情報を当該保留オーダーと関連付けて前記保留データ記憶部に蓄積する段階と、
前記保留データ記憶部に既に蓄積されている前記保留オーダーを一覧表示させる処理を実行させようとする操作者から当該操作者を特定する第２の担当者情報を受け付ける段階と、
前記一覧表示させる処理の実行が指示されたときに、前記保留データ記憶部に蓄積されている前記保留オーダの中から前記第１の担当者情報が前記第２の担当者情報に一致するもののみを選択して前記画面表示部上に一覧表示する段階と、
を有することを特徴とする売上処理方法。
【請求項４】
顧客から受けた注文を保留オーダーとして蓄積する保留データ記憶部と、画面表示部とを有し、精算時に前記保留オーダーを前記保留データ記憶部から呼戻して前記画面表示部上に表示し、精算処理の実行によって前記保留オーダーを売上データとして売上データ記憶部に記憶する売上処理装置において、
前記保留オーダーを蓄積する際に、その保留オーダーに対応する担当者を特定する情報を当該保留オーダーと関連付けて前記保留データ記憶部に蓄積し、前記保留データ記憶部に既に蓄積されている前記保留オーダーに対する処理が指示された場合に、当該処理を指示した操作者が前記保留オーダーに関連付けられている担当者と一致するかを判断し、操作者と担当者が一致する場合にのみ前記処理の実行を可能にする制御部を有することを特徴とする売上処理装置。
【請求項５】
顧客から受けた注文を保留オーダーとして蓄積する保留データ記憶部と、画面表示部とを有し、精算時に前記保留オーダーを前記保留データ記憶部から呼戻して前記画面表示部上に表示し、精算処理の実行によって前記保留オーダーを売上データとして売上データ記憶部に記憶する売上処理装置において、
入力部と、
前記保留オーダーを蓄積する際に、その保留オーダーに対応する担当者を特定する第１の担当者情報を当該保留オーダーと関連付けて前記保留データ記憶部に蓄積し、前記保留データ記憶部に既に蓄積されている前記保留オーダーを呼戻す処理を実行させようとする操作者から前記入力部を介して当該操作者を特定する第２の担当者情報を受け付け、既に前記保留蓄積部に蓄積されている特定の保留オーダーを呼戻す処理の実行が指示されたときに、当該特定の保留オーダーに関連付けられて蓄積されている前記第１の担当者情報が前記第２の担当者情報に一致するかを判断して担当者情報が一致した場合のみに前記呼戻す処理を実行して前記特定の保留オーダーを前記画面表示部上に表示する制御部と、
を有することを特徴とする売上処理装置。
【請求項６】
顧客から受けた注文を保留オーダーとして蓄積する保留データ記憶部と、画面表示部とを有し、精算時に前記保留オーダーを前記保留データ記憶部から呼戻して前記画面表示部上に表示し、精算処理の実行によって前記保留オーダーを売上データとして売上データ記憶部に記憶する売上処理装置において、
入力部と、
前記保留オーダーを蓄積する際に、その保留オーダーに対応する担当者を特定する第１の担当者情報を当該保留オーダーと関連付けて前記保留データ記憶部に蓄積し、前記保留データ記憶部に既に蓄積されている前記保留オーダーを一覧表示させる処理を実行させようとする操作者から前記入力部を介して当該操作者を特定する第２の担当者情報を受け付け、前記一覧表示させる処理の実行が指示されたときに、前記保留データ記憶部に蓄積されている前記保留オーダの中から前記第１の担当者情報が前記第２の担当者情報に一致するもののみを選択して前記画面表示部上に一覧表示する制御部と、
を有することを特徴とする売上処理装置。
【請求項７】
顧客から受けた注文を保留オーダーとして保留データ記憶部に蓄積し、精算時に前記保留オーダーを前記保留データ記憶部から呼戻して画面表示部上に表示し、精算処理の実行によって前記保留オーダーを売上データとして計上する処理を実行するコンピュータに、
前記保留オーダーを蓄積する際に、その保留オーダーに対応する担当者を特定する情報を当該保留オーダーと関連付けて前記保留データ記憶部に蓄積する処理と、
前記保留データ記憶部に既に蓄積されている前記保留オーダーに対する処理が指示された場合に、当該処理を指示した操作者が前記保留オーダーに関連付けられている担当者と一致するかを判断し、操作者と担当者が一致する場合にのみ前記処理の実行を可能にする処理と、
を実行させるプログラム。
【発明の詳細な説明】
【技術分野】
【０００１】
本発明は、商店、飲食店を含む販売店における売上処理に係り、特に、オーダー保留の機能を有するキャッシュレジスタまたはＰＯＳ（point of sales）端末装置における売上処理方法と、そのような方法を実現する処理装置とに関する。
【背景技術】
【０００２】
レストラン等において、売上処理装置を運用する場合には、顧客からの注文（オーダー）の追加や取消しが頻繁に有り得るので、顧客からの注文による受注データを保留データとして記憶しておき、顧客が店から退出する際の会計時（精算時）にこれらの保留データに基づいて精算処理を行うようにしている。
【０００３】
以下の説明において、店員が顧客から注文を受けた際のその注文情報を受注データ、精算するまで暫定的に記録されている受注データを保留データ、精算された保留データを売上データと、それぞれ呼称するものとする。
【０００４】
端末装置として、飲食店に配置されて使用され、顧客のオーダーデータが入力され、顧客の支払いに応じた支払い料金データの入力により、対応するオーダーデータの決済処理が行われるキャッシュレジスタ装置が、特開平９−２８２５６２号公報（特許文献１）に開示されている。また、レストラン等において用いられるＰＯＳシステムであって、親機と子機との間で保留データを共有できる容易したものが、特開平１１−１１０６４８号公報（特許文献２）に開示されている。レストラン等において大人数のグループが複数のテーブルにまたがって着席している場合などに売上処理を簡単に行えるようにしたものが、特開２００６−１２７０４４号公報（特許文献３）に開示されている。
【０００５】
飲食店等における従来の売上処理について説明する。図８は、例えばキャッシュレジスタまたはＰＯＳ端末装置に代表される売上処理装置の構成の一例を示すブロック図である。
【０００６】
売上処理装置は、通常の情報処理機能を有しており、例えばキーボードあるいはタッチスクリーンやテンキーのような入力部１０１、画面表示部１０２、プリンタ１０３、ＣＰＵ(central processor unit)を主体とする制御部１０４、プログラム等を記憶するプログラム記憶部１０５、保留データ記憶部１０６、および売上データ記憶部１０７を含み、バスで相互接続されている情報処理装置である。
【０００７】
飲食店では、顧客からの注文に応じて料理や飲み物を配膳する際または配膳したのち、顧客に対して受注伝票を交付する。そして、顧客に対する精算の際には、通常、店員が売上処理装置の操作者（オペレータ）となり、その操作者は、顧客の持参した受注に記載されている伝票番号を用いてその伝票番号を売上処理装置の入力部１０１に入力することによって、売上処理装置内で保留データの呼戻し処理（リコール処理）を行わせる。その結果、保留データ記憶部１０６に保留されている受注データ、すなわち保留データが画面表示部１０２に画面表示されるので、操作者はその内容の一致を確認し、その後、現金の収受などの処理を実行する。なお、同一顧客の複数回のオーダーを１つの受注伝票にまとめる運用を行う場合もあるが、その場合には、オーダーごとにそのオーダーを保留した際に保留発行番号を発行するようにして、保留発行番号に基づいて保留データの呼戻し処理を行うようにする。
【０００８】
図９は、顧客に対して精算を行う際の、売上処理装置の制御部１０４における動作手順の一例を示すフローチャートである。
【０００９】
制御部１０４は、ステップ１１１において、入力部１０１から伝票番号により「保留呼戻し」の入力を受付け、ステップ１１２において、伝票番号を用いて保留データ記憶部１０６内の保留データを検索する。そして、ステップ１１３において、制御部１０４は、検索に用いた伝票番号（あるいは保留発行番号）に対応する保留データを保留データ記憶部１０６から呼び出して画面表示部１０２に画面表示する。
【００１０】
その後、操作者は、画面表示された保留データの内容と、顧客が持参した受注伝票の内容と比較し、一致を確認する。そして、内容の一致の確認がとれた場合には、精算処理を実行させるために、例えば入力部１０１にある「精算」のボタンを押下する。
【００１１】
制御部１０４は、ステップ１１４において、「精算」ボタンの押下による精算指示の入力があったかどうかを判定し、精算指示が受け付けられている場合には、ステップ１１５において、既に呼び出されている保留データから売上の精算を実施する精算処理と、精算された保留データを売上データとして売上データ記憶部１０７に登録する売上登録処理とを実行する。精算処理の結果は、プリンタ１０３から出力される。
【００１２】
一方、上記手順において受注伝票と画面上のデータとの一致の確認までは行われたが、ステップ１１４で精算指示がなされなかった場合は、代金の精算ではなくて注文の取消しや追加が行われる場合であるので、制御部１０４は、入力部１０１からの入力に従って、ステップ１１６において、所定のオーダー変更処理を実行し、変更が加えられたデータを保留データ記憶部１０６内に保留データとして記録する。特に、複数の保留オーダーを一括して受注伝票とする運用形態の場合には、顧客による注文の取消しや追加が行われる時点では受注伝票自体が発行されていないことも考えられるので、その場合には、保留発行番号によって保留データのリコール処理を行う必要がある。
【特許文献１】特開平９−２８２５６２号公報
【特許文献２】特開平１１−１１０６４８号公報
【特許文献３】特開２００６−１２７０４４号公報
【発明の開示】
【発明が解決しようとする課題】
【００１３】
上述したように、従来、保留データに対してオーダー変更処理や精算処理などを行う場合には、伝票番号あるいは保留発行番号を入力するか、保留データを一覧リスト形式で表示させてその中から該当するものを選択するかして、売上処理装置の表示部に表示される売上画面上に、処理対象となる保留データを保留データ記憶部（保留バッファ）から移動させて表示させる（この動作のことを“リコール”と呼んでいる）。そして、リコールされた保留オーダーに対して、追加売上の処理（オーダー変更処理）や精算処理などを実行することになる。
【００１４】
このような従来のシステムにおいては、保留オーダーに対しするリコール動作は、そのオーダーに対応する顧客を担当している担当者であるかどうかに関わらず、どの店員（操作者）であっても行えるようになっていた。しかし、レストランなどにおける接客オペレーションの形態によっては、担当者ごとにオーダーが区別されている、すなわち、担当者は自分が任されている顧客またはテーブルのオーダーだけのエントリを行うようになっている場合がある。このような運用形態の場合には、本来の担当者以外の者が保留オーダー情報にアクセスできることは、セキュリティ上の問題を含むとともに、他担当者の保留オーダーを誤ってリコールしてしまうといったことにつながり、レストラン等の店舗における売上処理の安全で確実な運用を阻害する原因ともなっている。
【００１５】
そこで本発明の目的は、店舗における担当者ごとにオーダーが区別されている形態に適合し、他担当者情報への誤ったアクセスを防止することができる、売上処理方法及び装置を提供することにある。
【課題を解決するための手段】
【００１６】
本発明の売上処理方法は、顧客から受けた注文を保留オーダーとして保留データ記憶部に蓄積し、精算時に保留オーダーを保留データ記憶部から呼戻して画面表示部上に表示し、精算処理の実行によって保留オーダーを売上データとして計上する売上処理方法において、保留オーダーを蓄積する際に、その保留オーダーに対応する担当者を特定する情報を当該保留オーダーと関連付けて保留データ記憶部に蓄積する段階と、保留データ記憶部に既に蓄積されている保留オーダーに対する処理が指示された場合に、その処理を指示した操作者が保留オーダーに関連付けられている担当者と一致するかを判断し、操作者と担当者が一致する場合にのみ処理の実行を可能にする段階と、を有することを特徴とする。
【００１７】
本発明の売上処理方法の一例では、保留オーダーを蓄積する際に、その保留オーダーに対応する担当者を特定する第１の担当者情報をその保留オーダーと関連付けて保留データ記憶部に蓄積する段階と、保留データ記憶部に既に蓄積されている保留オーダーを呼戻す処理を実行させようとする操作者からその操作者を特定する第２の担当者情報を受け付ける段階と、既に保留蓄積部に蓄積されている特定の保留オーダーを呼戻す処理の実行が指示されたときに、その特定の保留オーダーに関連付けられて蓄積されている第１の担当者情報が第２の担当者情報に一致するかを判断する段階と、判断する段階において担当者情報が一致した場合のみに呼戻す処理を実行して特定の保留オーダーを画面表示部上に表示する段階とが設けられる。別の例では、保留オーダーを蓄積する際に、その保留オーダーに対応する担当者を特定する第１の担当者情報をその保留オーダーと関連付けて保留データ記憶部に蓄積する段階と、保留データ記憶部に既に蓄積されている保留オーダーを一覧表示させる処理を実行させようとする操作者からその操作者を特定する第２の担当者情報を受け付ける段階と、一覧表示させる処理の実行が指示されたときに、保留データ記憶部に蓄積されている保留オーダの中から第１の担当者情報が第２の担当者情報に一致するもののみを選択して画面表示部上に一覧表示する段階と、が設けられる。
【００１８】
本発明の売上処理装置は、顧客から受けた注文を保留オーダーとして蓄積する保留データ記憶部と、画面表示部とを有し、精算時に保留オーダーを保留データ記憶部から呼戻して画面表示部上に表示し、精算処理の実行によって保留オーダーを売上データとして売上データ記憶部に記憶する売上処理装置において、保留オーダーを蓄積する際に、その保留オーダーに対応する担当者を特定する情報をその保留オーダーと関連付けて保留データ記憶部に蓄積し、保留データ記憶部に既に蓄積されている保留オーダーに対する処理が指示された場合に、その処理を指示した操作者が保留オーダーに関連付けられている担当者と一致するかを判断し、操作者と担当者が一致する場合にのみ処理の実行を可能にする制御部を有することを特徴とする。
【発明の効果】
【００１９】
本発明は、他担当者の保留オーダー情報への誤ったアクセスをなくすことができるという効果がある。また、担当者は自分が担当している保留オーダー情報（伝票情報）の一覧表示を参照できるようになり、各保留オーダーの内容の把握を容易に行うことができて、担当する保留オーダー情報へのアクセスも容易になる。
【発明を実施するための最良の形態】
【００２０】
次に、本発明の好ましい実施の形態について、図面を参照して説明する。図１は本発明の実施の一形態の売上処理装置の構成を示すブロック図である。
【００２１】
この売上処理装置は、入力部１、画面表示部２、プリンタ３、制御部４、プログラム記憶部５、保留データ記憶部６、担当者情報記憶部７、売上データ記憶部８により構成され、それぞれバスに接続されてプログラムによる制御部４の制御を受けるという通常の情報処理機能を有している。
【００２２】
入力部１は、例えばキーボードのボタン、タッチパネル若しくは画面上の画像などの押下若しくはタッチ、またはこれらの組合せにより入力された指定情報を制御部４へ通知する。また、入力部１は、売上処理装置またはＰＯＳ端末装置として、上述したリコール処理を行うためのキーや「精算／登録」などのキーを備えている。
【００２３】
画面表示部２は、入力部１の指定に基づく制御部４の制御を受けて、文字、文書、画像などを画面に表示する。また、プログラム記憶部５に記憶されるプログラムに基づいて制御部４が自動的に表示するものもある。表示画面は、タッチパネルとして使用されることも、また、マウスを用いた入力部を兼ねることもできる。プリンタ３は、例えば受注伝票や精算後の領収書を印刷出力するために用いられる。制御部４は、ＣＰＵを主体として、作動用の一時メモリを有し、プログラム記憶部５に記憶されるプログラムに基づいて、バスで接続される各構成要素を制御し、売上処理の機能を実行する。プログラム記憶部５は、制御部４が売上処理の機能を実行するプログラムを含み、記憶するプログラムを制御部４の要求を受けて提供する。
【００２４】
保留データ記憶部６は、担当者が入力部１から入力する精算前の受注データ、すなわち保留データを、制御部４の制御により記憶する。担当者情報記憶部７は、担当者ごとの担当者番号を記憶するデータベースを含んでいる。本実施形態では、店舗において担当者となりうる全ての店員に対してそれぞれにユニークな担当者番号が付与されているものとする。精算時に顧客に交付する領収書には、担当者情報記憶部７において担当者番号から逆引きされた担当者名を記載することができる。売上データ記憶部８は、制御部４の制御により、精算された売上データを売上ファイルとして登録し保存する。
【００２５】
本実施形態の売上処理装置は、従来の売上処理装置と同様に、顧客から注文を受けてそれを保留済みオーダーとして保留データ記憶部６に格納するが、その際に、その保留処理を行った担当者に関する情報（例えば、担当者番号）を保留済みオーダーの情報（保留オーダー情報）内に格納する点で従来の売上処理装置と異なっている。そして、注文の変更・追加や精算などの処理のために保留済みオーダーをリコールする場合には、売上処理装置の操作者は、まず、売上処理装置に対してログインし、その後、保留発行番号を入力する。このとき、ログインした操作者の担当者番号が、入力された保留発行番号に対応する保留オーダー情報に格納されている担当者番号と一致しない場合には、その保留オーダ情報はリコールできないようになっている。また、保留オーダーの一覧を画面表示部２上に表示させる場合には、担当者番号の照合により、ログインした操作者の担当者番号と同じ担当者番号を有する保留オーダー情報のみが表示されるようになっている。
【００２６】
このような本実施形態の売上処理装置では、制御部４は、受注データを保留データとして保留データ記憶部６に格納する際に、そのときの担当者の担当者番号を含む形で保留オーダー情報を生成して保留データ記憶部６に蓄積し、保留オーダー情報のリコールを行う際には、その時点でログインしている操作者の担当者番号と同じ担当者番号の保留オーダー情報を保留データ記憶部６から検索できるように構成されている。
【００２７】
図２は、本実施形態において保留データ記憶部６に格納される保留オーダー情報の構成の一例を示すものである。保留オーダー情報には、保留発行番号のほかに、担当者番号が含まれていることが分かる。また、精算実施後は、この保留オーダー情報と同じフォーマットのデータが売上データとして売上データ記憶部８に蓄積されることになる。
【００２８】
図３は、本実施形態の売上処理装置において、保留オーダー情報のリコールを行うための画面の一例を示している。売上処理装置の入力部１において保留発行番号の入力を指示するキーを押下すると、図３に示されるような入力画面が表示され、それによって、保留発行番号を入力することができる。
【００２９】
またこの売上処理装置では、入力部１において「保留一覧」キーを押下すると対象データの検索が行われ、その結果、担当者番号が一致する保留オーダー情報が、図４に示すように、画面表示部２上に表示される。図４に示すように複数の保留オーダー情報が一覧表示されたとして、その中のいずれかの保留オーダー情報を選択することによって、図５に示すように、選択された保留オーダー情報の保留データが、売上画面上に表示される。
【００３０】
図６は、保留発行番号を入力して保留オーダー情報をリコールする際の処理を示すフローチャートである。保留オーダー情報をリコールしようとする操作者は、ます、その操作者の担当者番号を入力する（ステップ１５１）。売上処理装置に対するログイン動作によって自動的に担当者番号が入力されるようになっていてもよい。次に、操作者は、入力部１を用いて、検索しようとする保留オーダー情報に対応する保留発行番号を入力する（ステップ１５２）。すると制御部４は、入力された保留発行番号に基づいて、保留データ記憶部６内に格納されている保留オーダー情報を検索し（ステップ１５３）、入力された保留発行番号と一致する保留発行番号の保留オーダー情報があるかどうかを判定する（ステップ１５４）。ここで一致する保留発行番号の保留オーダー情報が存在しなければ処理を終了し、一致する保留発行番号の保留オーダー情報が存在する場合には、次に、制御部４は、その保留オーダー情報中の担当者番号が現在の操作者の担当者番号と一致するかどうかを判定する（ステップ１５５）。担当者番号が一致しない場合には処理を終了し、担当者番号が一致する場合には、制御部４は、該当する保留オーダー情報を保留データ記憶部６から取得し（ステップ１５６）、その保留オーダー情報を画像表示部２上の売上画面に表示する（ステップ１５７）。このようにして本実施形態では、ログインした操作者の担当者番号が、入力された保留発行番号に対応する保留オーダー情報に格納されている担当者番号と一致しない場合には、その保留オーダ情報はリコールできないことになる。
【００３１】
また、図７は、保留オーダ一覧を表示させるための処理を示している。保留オーダー一覧を表示させようとする操作者は、ます、その操作者の担当者番号を入力する（ステップ１６１）。売上処理装置に対するログイン動作によって自動的に担当者番号が入力されるようになっていてもよい。次にその操作者は、入力部１において「保留一覧キー」を押下し、保留オーダー一覧の表示を売上処理装置に指示する（ステップ１６２）。すると制御部４は、保留データ記憶部６内に格納されている保留オーダーの総数を取得し（ステップ１６３）、カウンタに１を代入し（ステップ１６４）、その後、ステップ１６５において、保留オーダーの総数よりもカウンタの値の方が大きいかどうかを判断する。ここでカウンタの値が保留オーダー数以下の場合は、未検索の保留オーダー情報がある場合なので、制御部４は、ステップ１６６において、保留オーダー情報の検索を行い、保留データ記憶部６内の未検索の保留オーダー情報の１つを取り出して、その保留オーダー情報に含まれる担当者番号が、ステップ１６１において入力された担当者番号に一致するかを判別する（ステップ１６７）。ここで一致する場合には、制御部４は、その保留オーダ情報を表示バッファに格納し（ステップ１６８）、ステップ１６９に進む。また、ステップ１６７において担当者番号が一致しない場合には、保留オーダー情報を表示バッファに格納することなく、ステップ１６９に進む。ステップ１６９では、制御部４は、カウンタの値を１だけ増やし、その後、ステップ１６５に戻る。
【００３２】
ステップ１６５においてカウンタの値が保留オーダー数を超えている場合は、保留データ記憶部６内の全ての保留オーダー情報について担当者番号による照合が終わっているときであるので、表示部４は、ステップ１７０において、その時点で表示バッファに格納されている保留オーダー情報を画面表示部２上に一覧表示し、処理を終了させる。
【００３３】
このようにして本実施形態では、「保留一覧キー」が押下されたときに、「保留一覧キー」を押下した操作者と同じ担当者番号の保留オーダー情報のみが一覧表示されることになる。
【００３４】
本実施形態の売上処理装置では、上述したように担当者がその担当している保留オーダー情報をリコールし、あるいは保留オーダー情報を一覧表示させたのちに所望の保留オーダー情報を選択した場合には、図７及び図８に示した従来の売上処理装置の場合と同様に、精算処理及び売上登録処理を行わせることができ、あるいは、追加注文や注文変更の処理を行わせることができる。
【図面の簡単な説明】
【００３５】
【図１】本発明の実施の一形態の売上処理装置の構成を示すブロック図である。
【図２】保留オーダー情報の構成例を示す図である。
【図３】発行番号を入力するための画面の一例を示す図である。
【図４】保留オーダー一覧の表示例を示す図である。
【図５】売り上げ画面の一例を示す図である。
【図６】保留番号が入力されたときの検索処理を示すフローチャートである。
【図７】保留オーダー一覧の表示処理を示すフローチャートである。
【図８】従来の売上処理装置の構成の一例を示すブロック図である。
【図９】図８に示した装置において伝票番号が入力された場合の処理を示すフローチャートである。
【符号の説明】
【００３６】
１    入力部
２    画面表示部
３    プリンタ
４    制御部
５    プログラム記憶部
６    保留データ記憶部
７    担当者情報記憶部
８    売上データ記憶部
【図１】
2008065599.tif 000003
【図２】
2008065599.tif 000004
【図３】
2008065599.tif 000005
【図４】
2008065599.tif 000006
【図５】
2008065599.tif 000007
【図６】
2008065599.tif 000008
【図７】
2008065599.tif 000009
【図８】
2008065599.tif 000010
【図９】
2008065599.tif 000011